【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
移動通信ネットワーク用の能動アンテナ列であって、
基地局に結合されたベースバンド部と、
それぞれが少なくとも１つのアンテナ要素により終端される複数の送受信部と、
前記複数の送受信部のうちの１つを前記ベースバンド部に結合する少なくとも１つのリンクとを備え、
前記少なくとも１つのリンクが、デジタルリンクであり、選択可能なペイロードレートでペイロード信号を中継するように構成され、
前記少なくとも１つのリンクがさらに固定タイミングレートでタイミング信号を中継するように構成され、前記選択可能なペイロードレートで前記タイミング信号が前記ペイロード信号に埋め込まれることを特徴とする能動アンテナ列。
【請求項２】
前記少なくとも１つのリンクが、可変パケット長を用いて前記ペイロード信号を中継するように構成される、請求項１に記載の能動アンテナ列。
【請求項３】
前記基地局から受信された基地局信号に応答して前記タイミング信号を供給する中央クロック部を備える、請求項１または２に記載の能動アンテナ列。
【請求項４】
前記タイミング信号に応答してローカルタイミング信号を取り出すように構成される複数のローカルタイミング部を備える、請求項１〜３のいずれか一項に記載の能動アンテナ列。
【請求項５】
それぞれの前記送受信部により伝送される伝送信号を増幅するための複数の伝送増幅器を備える、請求項１〜４のいずれか一項に記載の能動アンテナ列。
【請求項６】
それぞれの前記送受信部により受信される受信信号を増幅するための複数の受信増幅器を備える、請求項１〜５のいずれか一項に記載の能動アンテナ列。
【請求項７】
前記リンクのうちの１つを通過する信号に、可変の遅延、可変の位相重み付けおよび可変の振幅重み付けのうちの少なくとも１つを加えるように構成される少なくとも１つの調整部を備える、請求項１〜６のいずれか一項に記載の能動アンテナ列。
【請求項８】
前記送受信部のうちの１つの中に信号処理用の少なくとも１つの処理要素を備え、前記少なくとも１つの処理要素が、デジタルフィルタ要素、アナログフィルタ要素、デュプレックスフィルタ、デジタル・アナログ変換器、アナログ・デジタル変換器、イコライザおよびミキサからなる群より選択される、請求項１〜７のいずれか一項に記載の能動アンテナ列。
【請求項９】
前記アンテナ要素のうちの１つから測定部への少なくとも１つのフィードバック経路を備え、前記フィードバック経路がフィードバック信号を中継し、前記フィードバック信号が、前記アンテナ要素のうちの前記１つにより伝送される信号から結合される１つまたは複数の結合された伝送信号か、または前記アンテナ要素のうちの前記１つにより受信される信号から結合される１つまたは複数の結合された受信信号のうちの少なくとも１つを含む、請求項１〜８のいずれか一項に記載の能動アンテナ列。
【請求項１０】
前記送受信部のうちの１つを用いて伝送するときに蓄積される伝送偏差を測定するように前記測定部が構成され、
前記伝送偏差が、振幅偏差、位相偏差および遅延偏差のうちの少なくとも１つを含む、請求項９に記載の能動アンテナ列。
【請求項１１】
前記送受信部のうちの１つを用いて受信するときに蓄積される受信偏差を測定するように前記測定部が構成され、
前記受信偏差が、振幅偏差、位相偏差および遅延偏差のうちの少なくとも１つを含む、請求項９または１０に記載の能動アンテナ列。
【請求項１２】
移動通信ネットワーク用の複数の送受信部を有する能動アンテナ列内で無線信号を中継するための方法であって、
基地局から受信された基地局信号に応答して固定タイミングレートでグローバルタイミング信号を生成し、
選択可能なペイロードレートで少なくとも１つのペイロード信号に前記グローバルタイミング信号を埋め込み、
前記複数の送受信部のうちの１つをベースバンド部に結合する少なくとも１つのリンクにわたって前記少なくとも１つのペイロード信号を転送し、
前記少なくとも１つのペイロード信号に埋め込まれた前記グローバルタイミング信号から前記複数の送受信部のうちの少なくとも１つについて少なくとも１つのローカルタイミング信号を取り出し、
前記ローカルタイミング信号のうちの１つに従って前記少なくとも１つのペイロード信号を中継することを含み、
前記タイミングレートから独立して前記選択可能なペイロードレートが選択可能である方法。
【請求項１３】
それぞれの前記送受信部の間における偏差を補償することをさらに含む、請求項１２に記載の方法。
【請求項１４】
前記補償することが、
結合された伝送信号を取り出し、
それぞれの前記結合された伝送信号と前記少なくとも１つのペイロード信号との間の伝送偏差を測定し、
伝送補償を計算し、
伝送補償を課す
ことを含む、請求項１３に記載の方法。
【請求項１５】
前記補償することが、
結合された受信信号を取り出し、
それぞれの前記結合された受信信号と前記少なくとも１つのペイロード信号との間の受信偏差を測定し、
受信補償を計算し、
受信補償を課す
ことを含む、請求項１３に記載の方法。
【請求項１６】
移動通信ネットワーク用の能動アンテナ列をコンピュータに製造させるための内部に蓄積された制御論理を有する、一時的でないコンピュータ使用可能な媒体を含むコンピュータプログラム製品であって、前記能動アンテナ列が、
基地局に結合されたベースバンド部と、
少なくとも１つのアンテナ要素により終端される複数の送受信部と、
前記複数の送受信部のうちの１つを前記ベースバンド部に結合する少なくとも１つのリンクとを備え、
前記少なくとも１つのリンクが、デジタルリンクであり、選択可能なペイロードレートでペイロード信号を中継するように構成され、
前記少なくとも１つのリンクがさらに固定タイミングレートでタイミング信号を中継するように構成され、前記選択可能なペイロードレートで前記タイミング信号が前記ペイロード信号に埋め込まれることを特徴とするコンピュータプログラム製品。
【請求項１７】
移動通信ネットワーク用の複数の送受信部を有する能動アンテナ列内でコンピュータに無線信号を中継させるための内部に蓄積された制御論理を有する、一時的でないコンピュータ使用可能な媒体を含むコンピュータプログラム製品であって、前記制御論理が、
前記コンピュータに、基地局から受信されたペイロード信号に応答して固定タイミングレートでグローバルタイミング信号を生成させるための第１のコンピュータ読取り可能なプログラムコード手段と、
前記コンピュータに、選択可能なペイロードレートで少なくとも１つのペイロード信号に前記グローバルタイミング信号を埋め込ませるための第２のコンピュータ読取り可能なプログラムコード手段と、
前記コンピュータに、前記複数の送受信部のうちの１つをベースバンド部に結合する少なくとも１つのリンクにわたって前記少なくとも１つのペイロード信号を転送させるための第３のコンピュータ読取り可能なプログラムコード手段と、
前記コンピュータに、前記少なくとも１つのペイロード信号に埋め込まれた前記グローバルタイミング信号から前記複数の送受信部のうちの少なくとも１つについて少なくとも１つのローカルタイミング信号を取り出させるための第４のコンピュータ読取り可能なプログラムコード手段と、
前記コンピュータに、前記ローカルタイミング信号のうちの１つに従って前記少なくとも１つのペイロード信号を中継させるための第５のコンピュータ読取り可能なプログラムコード手段とを含み、
前記タイミングレートから独立して前記選択可能なペイロードレートが選択可能であるコンピュータプログラム製品。